(57)【要約】【課題】  複数種類の糊材を効率的に塗り分けることができる壁紙糊付機及び壁紙糊付機用セパレータ及び壁紙糊付け方法を提供すること。【解決手段】  壁紙２１を巻き取った原反ロール２０から壁紙２１を連続的に引き出した壁紙２１の片面へ糊材５０を塗布する一対のローラー１１と、糊材５０を供給する糊容器を有する壁紙糊付機であって、前記糊容器に壁紙２１の移送方向に対して複数の室を並列配置するセパレータを備える壁紙糊付機１０。【選択図】        図１
2007038084.tif 000002
【特許請求の範囲】
【請求項１】
壁紙を巻き取った原反ロールから壁紙を連続的に引き出した壁紙の片面へ糊材を塗布する一対のローラーと、糊材を供給する糊容器を有する壁紙糊付機であって、
前記糊容器に壁紙の移送方向に対して複数の室を並列配置するセパレータを備えることを特徴とする、
壁紙糊付機。
【請求項２】
壁紙を巻き取った原反ロールから壁紙を連続的に引き出した壁紙の片面へ糊材を塗布する一対のローラーと、糊材を供給する糊容器を有する壁紙糊付機に使用する壁紙糊付機用セパレータであって、
前記糊容器内に自立させる転倒防止部と、糊容器内にて複数種類の糊材を区分けする仕切部を有し、
前記仕切部は、糊容器の内周面形状に対応した形状であることを特徴する、
壁紙糊付機用セパレータ。
【請求項３】
前記請求項１に係る壁紙糊付機又は前記請求項２に係る壁紙糊付機用セパレータを使用し、一本のローラーに複数種類の糊材を含浸させて壁紙に糊材を塗布することを特徴とする、壁紙の糊付け方法。
【発明の詳細な説明】
【技術分野】
【０００１】
本発明は、壁面に貼付される壁紙の裏面に糊を塗布する壁紙糊付機及び壁紙糊付機を使用した壁紙の糊付け方法に関するものである。
【背景技術】
【０００２】
壁紙の室内壁面への貼付は、施工現場で壁紙糊付機を使用して、壁紙を巻き取った原反ロールから壁紙を引き出しながら壁紙の片面に連続的に糊材を塗布しながら行われる。
【０００３】
従来の壁紙糊付機は、壁紙を巻き取った原反ロールから壁紙を連続的に引き出した壁紙の片面へ糊材を塗布する一対のローラーと、糊材を供給する糊容器を基本的な構成要素として備えている。そして、前記ローラーをモータ等の駆動手段により回転させ、原反ロールから壁紙を移送させるとともに、糊容器から糊材をすくい上げて壁紙の片面に連続的に塗布することを可能としている。
【特許文献１】特開２００１−３４０７９５
【発明の開示】
【発明が解決しようとする課題】
【０００４】
しかしながら、従来の壁紙糊付機においては壁紙に複数種類の糊材を一工程で塗布することができない問題があった。このため、端部の反り返りが強い素材の壁紙を貼付する場合、壁紙端部の接着力を高めるために単価の高い粘着力の強い糊材を壁紙の全面に塗布しなければならず、施工コストが高くなるといいた問題があった。
また、壁紙の全面に粘着力の強い糊材を塗布した場合には、壁紙を張り替える際に、壁紙が剥がれ難くなり作業効率が悪くなるといった問題があった。
【０００５】
本発明は上記したような従来の課題を解決するためになされたもので、その目的とするところは、一本のローラーに複数種類の糊材を含浸させて壁紙に糊材を塗布することができる壁紙糊付機及び壁紙糊付機用セパレータ及び壁紙糊付け方法を提供することにある。
【課題を解決するための手段】
【０００６】
上記のような目的を達成するために本発明の第１発明は、壁紙を巻き取った原反ロールから壁紙を連続的に引き出した壁紙の片面へ糊材を塗布する一対のローラーと、糊材を供給する糊容器を有する壁紙糊付機であって、前記糊容器に壁紙の移送方向に対して複数の室を並列配置するセパレータを備えることを特徴とするものである。
【０００７】
また、本発明の第２発明は、壁紙を巻き取った原反ロールから壁紙を連続的に引き出した壁紙の片面へ糊材を塗布する一対のローラーと、糊材を供給する糊容器を有する壁紙糊付機に使用する壁紙糊付機用セパレータであって、前記糊容器内に自立させる転倒防止部と、糊容器内にて複数種類の糊材を区分けする仕切部を有し、前記仕切部は、糊容器の内周面形状に対応した形状であることを特徴とするものである。
【０００８】
また、本発明の第３発明は、前記第１発明に係る壁紙糊付機又は前記第２発明に係る壁紙糊付機用セパレータを使用し、一本のローラーに複数種類の糊材を含浸させて壁紙に糊材を塗布することを特徴とする壁紙の糊付け方法である。
【発明の効果】
【０００９】
本発明においては、以下の効果のうち少なくとも一の効果を有する。
＜１＞一工程で、壁紙の片面に複数種類の糊材を同時に、かつ、連続的に塗布することができる。
＜２＞壁紙の糊付作業の作業効率を高めるとともに、施工コストの改善を実現することができる。
【発明を実施するための最良の形態】
【００１０】
以下、図面を参照しながら本発明の実施の形態について説明する。
【００１１】
＜イ＞壁紙糊付機
本発明の壁紙糊付機は、図１に示すように、壁紙２１を巻き取った原反ロール２０から壁紙２１を連続的に引き出した壁紙２１の片面へ糊材５０を塗布する一対のローラー１１と、糊材５０を供給する糊容器１２を少なくとも有する壁紙糊付機１０である。
壁紙２１は、移送時に壁紙２１にシワや撓みが生じないよう複数のテンションロールを介して適度なテンションを付与されて原反ロール２０から一対のローラー１１に導出されている。そして、図示しないモータ等の駆動手段により、一対のローラー１１の塗布ローラー１１１を回転させることにより、壁紙２１を移送しながら、壁紙２１の片面に糊ローラー１１２から掬い上げられて供給された糊材５０を連続的に塗布することができる。
【００１２】
＜ロ＞糊容器
糊容器１２は、糊材５０を収容し、その内部に糊ローラー１１２の一部を糊材５０に含浸させて糊材５０を塗布ローラー１１１へ供給するものである。より具体的には塗布ローラー１１１が回転すると当接する糊ローラー１１２も回転し、糊ローラー１１２の含浸部分が塗布ローラー１１１との当接位置に運ばれて糊材５０が塗布ローラー１１１に粘着して供給される。
糊容器１２は、図２に示すように、一面を開放した函体を呈する本体と、糊容器１２に壁紙２１の移送方向に対して複数の室を並列配置するセパレータ１２１とを有している。セパレータ１２１により仕切られた複数の室には複数の糊材５０を適宜選択して注入することができる。セパレータ１２１の数は１つに限られるものではなく、壁紙２１に糊材５０を塗り分ける箇所に応じて必要数を設ける。
【００１３】
＜ハ＞セパレータ
セパレータ１２１は、糊容器１２の内部を、壁紙２１の移送方向に対して並列配置される複数の室を区分する部材である。
セパレータ１２１は、糊容器１２の内部を壁紙２１の移送方向に対して並列配置される複数の室を区分できるように、糊容器１２の内周面形状に対応した形状に形成する。
セパレータ１２１の高さは、少なくとも糊容器１２内に注入される糊材５０の高さよりも高くなるように形成する。
セパレータ１２１における糊ローラー１１２との対応部分には、糊ローラー１１２をセパレータ１２１の一部に嵌挿できるよう切欠部１２１ａを形成する。切欠部１２１ａの形状は、糊ローラー１１２の回転に影響を与えず、かつ、切欠部１２１ａと糊ローラー１１２との間隙から糊材５０が流出し難い形状に形成する。また、セパレータ１２１を糊容器１２内において壁紙２１の移送方向に対して直交する方向に変位できるように構成すると壁紙２１への糊材５０の塗布巾を適宜調節することができ便宜である。
【００１４】
＜ニ＞作用
以上の構成からなる糊容器１２を備える本発明の壁紙糊付機１０の作用を説明する。
図示しないモータ等の駆動手段により、一対のローラー１１の塗布ローラー１１１を回転させて壁紙２１を移送しながら、塗布ローラー１１１と当接する糊ローラー１１２が回転する。糊ローラー１１２における糊材５０の含浸部分が塗布ローラー１１１に当接すると糊材５０が糊ローラー１１２から塗布ローラー１１１に粘着して糊材５０が供給され、塗布ローラー１１１の糊材５０付着部分が壁紙２１の片面に塗布される。このとき、糊ローラー１１２は糊容器１２において所定の巾で区分けされた２種類の糊材５０に含浸していることから、２種類の糊材５０の区分けが塗布ローラー１１１に反映され、一本の塗布ローラー１１１により２種類の糊材５０を壁紙２１に対して連続的に塗布することが可能となる。
以上より、壁紙２１への複数種類の糊材５０の効率的な塗り分けを実現することができる。
【００１５】
＜ホ＞壁紙糊付機用セパレータ
セパレータは糊容器１２と一体の構成とする場合のみならず、糊容器１２と別体の壁紙糊付機用セパレータ３０として構成してもよい。本発明に係る壁紙糊付機用セパレータ３０は、糊容器１２とは別体として構成し、既存の壁紙糊付機の糊容器１２に対応できる汎用形状に形成することにより、最小のコストで壁紙糊付機に複数種類の糊材５０の塗り分け機能を付与することが可能とするものである。
【００１６】
壁紙糊付機用セパレータ３０は、設置する糊容器１２内部を壁紙２１の移送方向に対して並列配置される複数の室に区分する仕切部３２と、仕切部３２の糊容器１２内での転倒を防止する転倒防止部３１とから構成する。
本例においては図３及び図４に示すように、一対の仕切部３２と、前記一対の仕切部３２の中間に架け渡すようにして設けられた転倒防止部３１により、函体形状に構成された壁紙糊付機用セパレータ３０について説明する。
【００１７】
一対の仕切部３２は、対応する糊容器１２の内部を壁紙２１の移送方向に対して並列配置される複数の室を区分できるように、糊容器１２の内周面形状に対応した形状に形成する。
一対の仕切部３２の高さは、少なくとも糊容器１２内に注入される糊材５０の高さよりも高くなるように形成する。
一対の仕切部３２における、糊ローラー１１２との対応部分には、糊ローラー１１２を仕切部３２の一部に嵌挿できるよう切欠部３２１を形成する。切欠部３２１の形状は、糊ローラー１１２の回転に影響を与えず、かつ、切欠部３２１と糊ローラー１１２との間隙から糊材５０が流出し難い形状に形成する。
【００１８】
転倒防止部３１は、仕切部３２の転倒を防止する部位であり一対の仕切部３２の中間に架け渡すようにして設ける。本例においては一対の仕切部３２の両端間に断面Ｌ字形状の板体を架け渡すようにして固定して構成している。
転倒防止部３１は本例に限定されるものではなく、仕切部３２の転倒を防止しうる形状又は構成であればよい。
【００１９】
壁紙糊付機用セパレータ３０の取り付けは、図４に示すように糊容器１２内に壁紙２１の移送方向に対して並列配置される複数の室を区分できるように仕切部３２を壁紙２１の移送方向に並ぶように取り付ける。壁紙糊付機用セパレータ３０を左右にスライドさせて、塗り分ける糊材５０の数や塗布巾を調節する。糊ローラー１１２を取り付ける。
以上より、壁紙糊付機用セパレータ３０によって糊容器１２内に複数の室が形成され、各室に種類の異なる糊材５０を注入することが可能となる。
【００２０】
壁紙糊付機用セパレータの他の実施形態として、図５に示すように、一の仕切部４２と、前記仕切部４２の転倒防止部とから構成する形態がある。本例における壁紙糊付機用セパレータ４０は仕切部４２が一の部材である場合の実施例を示すものである。
【００２１】
仕切部４２は、対応する糊容器１２の内部を壁紙２１の移送方向に対して並列配置される複数の室を区分できるように、糊容器１２の内周面形状に対応した形状に形成する。
仕切部４２の高さは、少なくとも糊容器１２内に注入される糊材５０の高さよりも高くなるように形成する。
仕切部４２における糊ローラー１１２との対応部分には、糊ローラー１１２を仕切部４２の一部に嵌挿できるよう切欠部４２１を形成する。切欠部４２１の形状は、糊ローラー１１２の回転に影響を与えず、かつ、切欠部４２１と糊ローラー１１２都の間隙から糊材５０が流出し難い形状に形成する。
【００２２】
転倒防止部は切欠部４２１の両端に設けられる。本例においては板体を上部にて折り返して糊容器１２に掛止できる間隙を形成するとともに、先端部を舌片状に湾曲させて形成することにより前記間隙に挿入される糊容器１２の側部に対するバネ力を付勢して糊容器１２への固定を実現する。
【００２３】
＜ヘ＞壁紙の糊付け方法
次に本発明に係る壁紙２１の糊付け方法を説明する。本発明の壁紙の糊付け方法は、前記本発明に係る壁紙糊付機１０又は壁紙糊付機用セパレータ３０（若しくは４０）を使用し、一本のローラーに複数種類の糊材５０を含浸させて壁紙２１に糊材５０を塗布することにより、効率のよい糊付作業を実現することを特徴とする。
【００２４】
施工現場に、壁紙糊付機１０、壁紙の原反ロール２０、及び糊材５０を搬入する。
原反ロール２０を壁紙糊付機１０に取り付け、壁紙２１をテンションロールを経て塗布ローラー１１１まで導出する。
【００２５】
糊容器１２に複数の糊材５０を注入する複数の室の有無を確認する。複数の室がない場合には、対応する壁紙糊付機用セパレータを糊容器１２に取り付けて所定数の室を形成する。本例では壁紙２１の両端部分に塗布する糊材５０をその他の部分の糊材５０と異なるものとするため、糊容器１２の両端部に所定の幅を持たせた室を形成する。
【００２６】
糊容器１２に形成した複数の室のうち左右両端部の室には固化速度の速い糊材５０を注入し、中央部の室には両端部の糊材５０よりも固化速度の遅い糊材５０を注入する。
糊容器１２内に糊ローラー１１２を取り付ける。このとき糊ローラー１１２の一部は糊容器１２内の糊材５０に含浸した状態となっている。
【００２７】
壁紙糊付機１０を作動させると図示しないモータ等の駆動手段により、一対のローラー１１の塗布ロールが回転し、壁紙２１を移送しながら、壁紙２１の片面に糊ローラー１１２から掬い上げられて供給された２種類の糊材５０を連続的に塗布される。すなわち、一回の行程により、壁紙２１の両端部分に固化速度の速い糊材５０を塗布し、壁紙２１の中央部分には両端部分に塗布された糊材５０よりも固化速度の遅い糊材５０を塗布することができる。
【００２８】
複数の糊付した壁紙２１を左右両端が隣接するように並べて壁面に貼付する。
本例では壁紙２１の左右両端に固化速度の速い糊材５０を塗布し、壁紙２１の中央部分には両端部分に塗布された糊材５０よりも固化速度の遅い糊材５０を塗布している。そのため、壁紙２１の左右両端部分の糊材５０が中央部の糊材５０よりも速く乾燥固定する。この結果、壁紙２１の中央部分の糊材５０の乾燥固化によって生じる壁紙２１の収縮を左右端の接着力により阻止することができる。
【図面の簡単な説明】
【００２９】
【図１】本発明の壁紙糊付機の概略説明図。
【図２】糊容器の説明図。
【図３】壁紙糊付機用セパレータの説明図。
【図４】壁紙糊付機用セパレータを糊容器に取り付けた状態の説明図。
【図５】壁紙糊付機用セパレータの他の実施例の説明図。
【符号の説明】
【００３０】
１０・・・壁紙糊付機
１１・・・一対のローラー
１１１・・塗布ローラー
１１２・・糊ローラー
１２・・・糊容器
１２１・・セパレータ
１２１ａ・切欠部
１２２・・糊材
１３・・・フレーム
２０・・・原反ロール
２１・・・壁紙
３０，４０・・・壁紙糊付機用セパレータ
３１，４１・・・転倒防止部
３２，４２・・・仕切部
【図１】
2007038084.tif 000003
【図２】
2007038084.tif 000004
【図３】
2007038084.tif 000005
【図４】
2007038084.tif 000006
【図５】
2007038084.tif 000007